Podtech/llm-jp-corpus-v4-ja_patent huggingface dataset:
(57)【要約】【課題】いちご等の植物を簡単に素人でも花から果実まで鑑賞しながら育成して果実を収穫できる容器を発明する。【解決手段】パネルの上部前面に葉と茎の背景面を形成し、そのパネル下部に垂れさがる実に光を当てる反射面を形成し、各パネル上下合体の約中央に植物の茎や株を通す穴を設けその穴の背後下方にポットの固定具を設けたたことを特徴とする鑑賞育成容器。【選択図】　図３
2004129633.tif 000002
【特許請求の範囲】
【請求項１】
パネルの上部前面に葉と茎の背景面を形成し、そのパネル下部に垂れさがる実に光を当てる反射面を形成し、各パネル上下合体の約中央に植物の茎や株を通す穴を設けその穴の背後下方にポットの固定具を設けたたことを特徴とする鑑賞育成容器。
【請求項２】
実や花をせり出すためのガイド舌片を穴下部前方に設けた請求項１の鑑賞育成容器。
【請求項３】
パネル後下のポットの横に水補助容器を設けた請求項１、２いずれか１項記載の鑑賞育成容器。
【発明の詳細な説明】
【０００１】
【発明の属する技術分野】
本発明は鑑賞育成容器に関するものであり詳しくは水耕栽培で植物を鑑賞しながら育成栽培し、成長と共に花から果実になり熟した実を収穫できる容器に係るものである。
【０００２】
【従来の技術】
従来の植物鑑賞は庭や鉢植えが多く、室内等では茎から切断して花瓶等での鑑賞が多かった為、あまり長もちしなかった。
【０００３】
植物の育成栽培の土地や、鉢植え等を置ける庭やベランダを所有できる場所での植物鑑賞が多く、オフィスや室内等での根の付いた植物を置く場所を持たない所では育成鑑賞などは少なかった。
【０００４】
従来の鉢植えは植物に肥料や水を与えるときどうしても廻りが汚れたり水滴が落ちたりして室内ではあまり向かなかった。
【０００５】
【発明が解決しようとする課題】
上記目的を果たすために、本発明した鑑賞育成容器は室内または、室外などに根の付いた植物を置くスペースがなくても植物育成鑑賞が出来る容器なので身じかに置いて育成鑑賞が楽しめる。
【０００６】
【課題を解決するための手段】
請求項１の鑑賞育成容器はパネルの上部前面に葉と茎の背景面を形成し、そのパネル下部に垂れさがる実に光を当てる反射面を形成し、各パネル上下合体の約中央に植物の茎や株を通す穴を設けその穴の背後下方にポットの固定具を設けたたことを特徴とする。
請求項２の鑑賞育成容器は実や花をせり出すためのガイド舌片を穴下部前方に設けたことを特徴とする。
請求項３の鑑賞育成容器はパネル背後のポットの横に水補助容器を設けたことを特徴とする。
【０００７】
請求項１の鑑賞育成容器においては、根の付いた植物を身じかに置いて鑑賞しながら果実も収穫出来る。
【０００８】
請求項２の鑑賞育成容器において、果実の後ろにも光が当る為むらなく熟す。
【０００９】
請求項３において水管理ができるので植物の成長する課程も学習できる。
【００１０】
【発明の実施の形態】
図１から図２において、上部パネル２と下部パネル６のパネルは衛生的な抗菌のプラスチックなどを使用し、バクテリアで自然分解出来るプラスチックなどを使用する。又、なるべく背景を見やすい色にすれば根の成長や水管理もしやすくなり素人でも栽培育成がしやすくなる。
【００１１】
壁掛け穴１は容器を直に置けない時、柱や壁に吊るして育成鑑賞が出来るように設ける穴で、また、上下に鑑賞育成容器を連結したい場合でも使用出来るようにする。
【００１２】
穴３はポット１３で育成した苗を花、葉、茎等を穴３に通し正面へ出して苗をゆるやかに固定する為に使用し、結合部４はポット１３の苗をパネルに移行する時、花、葉、茎等を傷つけないように上部パネル２をはずして苗の入ったポット１３を入れてからパネル２をもどして固定する。
【００１３】
反射板７は花が咲き終わり果実が成長して行くにしたがって表面は光が当るが後ろは日陰になるため反射板を取り付け光を当てるために使用する。
【００１４】
水位球９はポット１３に水が最高に補給した位置と、最低の水量の位置を表す為に使用し、水補助容器１０はポット１３と連動しているためポット１３は外からでも水管理ができる。
【００１５】
補給コップ１２は水補給箱１０の水を補給する時に使用するコップ。
【００１６】
連結ジョイント１４は同種の容器を上下に連結する時壁掛け穴１に連結ジョイント１４を差し込み吊りさげるものである。
【００１７】
図３の舌片５は花が果実になり下に下がってくると、果実の背後は影になってしまい光が当らなくなるので舌片５で下部パネル６から果実を浮かして反射板で光を補う。
【００１８】
【実施例】
植物の小株を苗床水耕栽培で発根させます。ポットに移植出来る位まで育成し成長したら、ポットにスポンジ等を入れ根をなじませるためポットごと苗床水耕栽培で成長させます。苗が成長し開花したら摘花や古葉取り株元などをきれいにして良い花に人口受粉をします。苗が移動に耐えられる状態になったら、ポットごと苗を取出し果実が収穫出来る位充分の固形の追肥をポットに入れ上部パネルをはずして、下部パネルにポットを固定します。固定したポットの苗を下部パネルの上にある半円穴から前方に茎、葉、花等を出して上部パネル下半円穴で苗を傷つけないように固定します。後は鑑賞育成容器で水管理をしながら花から果実になって成熟した果実を収穫するまで鑑賞育成栽培します。その育成の課程で、花の開花時期にあっては緑の葉の中に白い花の咲いた状態を鑑賞できる。又、果実にあっては、いちごの結実期から赤く成熟していく過程を鑑賞できる。この時いちごの果実は反射板で裏側からも照射され全体が赤く成熟する。
【００１９】
【発明の効果】
本発明は上述のとおり構成されているので次に記載する効果を奏する。
【００２０】
鑑賞育成容器は葉土を使用しない為スペースが無くても植物育成鑑賞できる。
【００２１】
例えば机の片隅において育成し、身近で水や肥料の補給の管理出来る。
【００２２】
床や棚に置くスペースが無くても壁や柱に掛けて育成鑑賞が出来る。
【０００２３】
水耕栽培なので収穫した実も衛生的でもある。
【００２４】
【図面の簡単な説明】
【図１】鑑賞育成容器の正面図である。
【図２】鑑賞育成容器の背面図である。
【図３】鑑賞育成容器の側面図である。
【図４】鑑賞育成容器の水補助容器の正面図である。
【図５】鑑賞育成容器の給水箱の側面図である。
【図６】鑑賞育成容器の完成状態の正面図である。
【符号の説明】
１・・壁掛け穴
２・・上部パネル
３・・穴
４・・結合部
５・・舌片
６・・下部パネル
７・・反射板
８・・キャップ
９・・水位球
１０・・水補助容器
１１・・結合管
１２・・補給コップ
１３・・ポット
１４・・連結ジョイント
【図１】
2004129633.tif 000003
【図２】
2004129633.tif 000004
【図３】
2004129633.tif 000005
【図４】
2004129633.tif 000006
【図５】
2004129633.tif 000007
【図６】
2004129633.tif 000008
(57)【要約】【課題】自然な方法で天候に左右されることなく、根圏から自然体に肥料が吸収する。【解決手段】水耕栽培層の上面又は、下面に水耕栽培層又は、培養土の栽培層を複層構造に構築する。あるいは、培養土の栽培層の上面又は下面に培養土の栽培層を複層構造体に構築する。複層構造体の培養土の栽培層又は、水耕栽培層に植物体を定植する。複層構造体の水耕栽培層と培養土の双方に根圏部を形成させる。それにより、水耕層の根圏部と培養土の根圏部を同時に制御することを可能にする。水耕栽培層と水耕栽培層に分ける方式についても根圏部の分極化を計る点については共通の手段である。【特許請求の範囲】
【請求項１】
水耕栽培層の上面又は、下面に培養土の栽培層を複層設けた養液栽培制御方法。
【請求項２】
水耕栽培層の上面又は、下面に水耕栽培層を複層設けた養液栽培制御方法。
【請求項３】
培養土の栽培層の上面又は、下面に培養土の栽培層を複層設けた養液栽培制御方法。
【発明の詳細な説明】
【０００１】
【産業上の利用分野】
本発明は、植物の成長を制御する方法に関する、水耕栽培層や、培養土の栽培層を複層構造にし、植物の生育を制御する方法に関する。
【０００２】
【従来の技術】
従来養液栽培は、水耕栽培床又は、培養土の栽培床の単体の構造体による、栽培の方法で行なっている。
【０００３】
【発明が解決しようとする課題】
上記の従来の方法は、植物の成育にとって大変よい効果があるが、天候不順や、機械的、構造的等の外的条件によるトラブルが続くと、根から肥料分の吸収バランスを失い、生産効率の低下や、作物の糖度、品質に大きな影響をもたらした。
【０００４】
【課題を解決するための手段】
水耕栽培層の上面又は、下面に水耕栽培層又は、培養土の栽培層を複層構造に構築する。あるいは、培養土の栽培層の上面又は、下面に培養土の栽培層を複層構造体に構築する。複層構造体の培養土の栽培層又は、水耕栽培層に植物体を定植する。複層構造体の水耕栽培層と培養土の栽培層の双方に根圏部を形成させる。それにより、水耕栽培層の根圏部と培養土の栽培層の根圏部を同時に制御することを可能にする。水耕栽培層と水耕栽培層に分ける方式についても根圏部の分極化を計る点については共通である。
【０００５】
【作用】
同一の植物体の肥料の吸収を別々の根圏域で同時に制御する事ができる。
【０００６】
【発明の効果】
本発明によれば、水耕栽培層の上面又は下面に水耕栽培層、あるいは、培養土の栽培層を設け、複層構造体の栽培層を構成することにより、同一植物体の根圏部を、水耕層や培養土の栽培層に分化形成させる。上記方式を採用する事により複層の根圏部の肥料管理を同時に且つ自然な方法で、又天候にも左右されずに、制御出来る。それ故、植物体の花芽分化、栄養生長、生殖生長等を制御し質の高い上品質の生産が出来るなど生産効率、品質の向上を計ることができる。
(57)【要約】【課題】小河川の流れは雑草土砂等で川幅の狭拡が激しい、その川で魚類を得る時は川幅に網の開口幅を合わす網巾自在手網を提供する。【解決手段】網袋９の枠体１を５分割して、それぞれの枠体の端末にピン穴を設る。一個の枠体１１を取手竿７の先端支持腕８に固定する枠体１１の左右より枠体１２、１３及び１４、１５と連結して、端末は開閉取手６にピン止めする。開閉取手６を手前に引くと枠体１１の巾となり、開閉取手６を押すと約３倍の広巾となる。現場に合わせ網巾が開閉できる網巾自在手網である。【選択図】　図１
2004129637.tif 000002
【特許請求の範囲】
【請求項１】
手網の全周枠体を５分割して、その一個を取手の先端に固定し、残り４個の枠体をその左右に作動する程度にピンで接続する。最後に左右の枠体のピン穴を取手竿で摺動する開閉取手にセットし、開閉取手の操作により、全網枠体が左右に拡くなったり、細長くなったりする網巾自在手網
【発明の詳細な説明】
【０００１】
【発明の属する技術分野】
本発明は、手網の口枠を分割して幅の狭い網、幅の広い網に網枠の形体を自由に変えることができる網巾自在手網に関するものである。
【０００２】
【従来の技術】
従来の手網は大小数多くあり、それぞれ特長に会った場所では最高の能力を発揮するが、草木の生えている小川の中は一歩毎に川幅が違うので従来の手網ではその川幅の違いには対応できない、魚は少しの隙間も見逃さない本能があるから小さい網も、大きい網にもそれぞれ問題がある。
【０００３】
【発明が解決しようとする課題】
本発明は上記の従来の問題を解決するためになされたもので、常に手網枠体の形体を川幅いっぱいに合わせつつ魚類をおいつめて捕獲することを目的とする。
【０００４】
【課題を解決するための手段】
本発明の網巾自在手網は網の枠体が５分割されており、開閉取手６を前後させることにより、５分割の約半分に当たる前半の３枠体を１枠幅から３枠幅に網袋の開口幅を変えられることを特長とする。
【０００５】
【発明の実施の形態】
以下発明実施の形体を図面を用いて説明する。
図１は本発明実施の狭幅平面図である。網袋９の枠体を５分割した各枠体には両端末に水平のみに作動するピン穴が有り、そのピン穴を接続ピン１０で作動する程度に締め付けて連結し、５本の枠体に網袋９を通し、取手竿７に固定されている支持腕８の先端に枠体１１を固定する。
【０００６】
枠体１１の両端に枠体１２、１３、及び１４、１５．を接続ピン１０でセットし、枠体１４、１５、の最後の接続穴を開閉取手６の接続ピン１０でセットして接続を完了する。
【０００７】
【発明の効果】
本発明の網巾自在手網は小河川の流れや川岸などの流れに入って使用する。小河川の流れには草や木が自生し、又土砂などで狭い所や広い所が混合って存在する。狭い場所では狭幅平面図１のように開閉取手６を取手枠７に沿って引けば４本の枠体が引っ張られて狭い枠幅となる、段々と広い流れになると広さに合わせて開閉取手６を押していくと、網幅は広がって枠体１１の約３倍の平面図２の広さになり、獲物は逃げ場を失う。
【図面の簡単な説明】
【図１】本発明の狭幅平面図である。
【図２】本発明の広幅平面図である。
【図３】本発明の狭幅中側面図である。
【符号の説明】
１　　　枠体セット１組
６　　　　開閉取手
７　　　　取手竿
８　　　　支持腕
９　　　　網袋
１０　　　接続ピン
１１、１２、１３、１４、１５　枠体
【図１】
2004129637.tif 000003
【図２】
2004129637.tif 000004
【図３】
2004129637.tif 000005
(57)【要約】【課題】表面に模様付けしたコーン紙の製造方法の提供。【解決手段】繊維類の材料をコーン紙の基材となし、繊維基材布の表面に高分子インクで適当なパターンを固着し、さらに基材布を高分子樹脂に含浸させるか、或いは繊維基材布を先に高分子樹脂に含浸させた後に乾燥させて更に高分子インクで基材布に模様付けし、基材本体に一層の高分子樹脂を付着させ、鮮明なカラーパターンを形成し、乾燥後にさらに高温の型を用いて基材布を所定のコーン紙形状に加工し、並びにコーン紙表面にワニス塗装し、さらにトリミングして製品を得る。これにより繊維布で形成したコーン紙表面に良好な模様を形成し、コーン紙の美観と質感を高める。【選択図】　　　　図１
2004129044.tif 000002
【特許請求の範囲】
【請求項１】
表面に模様付けしたコーン紙の製造方法において、繊維材料布、例えば、ガラス、ケブラー、炭素、ノマックス、コネックスの繊維をコーン紙の基材布とし、さらに高分子インクで繊維基材布上に印刷し、高分子インクの適当なパターンを繊維基材布に固着させ、さらに繊維基材布を高分子樹脂に含浸させるか、繊維基材布を先に高分子樹脂に含浸させた後に乾燥させてから高分子インクで基材布に印刷し、これにより繊維基材本体に一層の高分子樹脂を付着させ、さらに乾燥させて高分子樹脂を有効に繊維基材布に付着させ、並びに高分子樹脂を有効に高分子インクと結合させ、カラーパターンの鮮明度を保持し、さらに、高温の型を用いて基材布を所定のコーン紙形状に加工し、並びにコーン紙の表面にワニス塗装し、乾燥させ、さらにトリミングし、こうして表面に模様を形成したコーン紙製品を得ることを特徴とする、表面に模様付けしたコーン紙の製造方法。
【発明の詳細な説明】
【０００１】
【発明の属する技術分野】
本発明は一種の表面に模様付けしたコーン紙の製造方法に係り、特に、繊維類の材料をコーン紙の基材となし、この薄片状の繊維基材布の表面に高分子インクで適当なパターンを固着し、さらに基材布を高分子樹脂に含浸させるか、或いは繊維基材布を先に高分子樹脂に含浸させた後に乾燥させて更に高分子インクで基材布に模様付けして基材本体に一層の高分子樹脂を付着させ、鮮明なカラーパターンを形成し、乾燥後にさらに高温の型を用いて基材布を所定のコーン紙形状に加工し、並びにコーン紙表面にワニス塗装し、さらにトリミングして、表面にカラーパターンを具えたコーン紙を得る製造方法に関する。
【０００２】
【従来の技術】
一般にいわゆるコーン紙と称されているものは、一種の振動板であり、薄片円錐筒状の構造とされ、振動伝音の作用を有する。それは使用上、スピーカに取り付けられ、音声が伝送される時、該コーン紙を透過し、音声が有効に伝送され、人がそれを聴くことができる。現在ある周知のコーン紙は、一般に繊維質、例えばパルプ繊維、ガラス繊維、炭素繊維で形成され、その製造方式は、まずこれら繊維質材料を薄片体状に加工し、さらにそれを型に入れて成形し、適当に乾燥及びトリミングして製品を得るというものである。このような周知の繊維布で形成したコーン紙は表面に色付けがされてなく、その表面にパターン或いは模様がない。このため美観と質感が下がり、斬新さが求められる現代にあって、高品質を求める消費者にとって、その要求を満足させられず、ゆえにコーン紙の品質設計に対して更なる創造の必要性がある。
【０００３】
【発明が解決しようとする課題】
本発明の主要な目的は、一種の繊維質コーン紙表面に有効に模様付けをして、コーン紙の質感と美観を高める製造方法を提供することにある。
【０００４】
【課題を解決するための手段】
請求項１の発明は、表面に模様付けしたコーン紙の製造方法において、繊維材料布、例えば、ガラス、ケブラー、炭素、ノマックス、コネックスの繊維をコーン紙の基材布とし、さらに高分子インクで繊維基材布上に印刷し、高分子インクの適当なパターンを繊維基材布に固着させ、さらに繊維基材布を高分子樹脂に含浸させるか、繊維基材布を先に高分子樹脂に含浸させた後に乾燥させてから高分子インクで基材布に印刷し、これにより繊維基材本体に一層の高分子樹脂を付着させ、さらに乾燥させて高分子樹脂を有効に繊維基材布に付着させ、並びに高分子樹脂を有効に高分子インクと結合させ、カラーパターンの鮮明度を保持し、さらに、高温の型を用いて基材布を所定のコーン紙形状に加工し、並びにコーン紙の表面にワニス塗装し、乾燥させ、さらにトリミングし、こうして表面に模様を形成したコーン紙製品を得ることを特徴とする、表面に模様付けしたコーン紙の製造方法としている。
【０００５】
【発明の実施の形態】
図１は本発明のフローチャートである。本発明によると、繊維材料布（例えば、ガラス、ケブラー（Ｋｅｖｌａｒ）、炭素、ノマックス（Ｎｏｍａｘ）、コネックス（Ｃｏｎｅｘ）の繊維）をコーン紙の基材布とし、さらに高分子インクで繊維基材布上に印刷し（そのうち、印刷方式は、スクリーン印刷、ローラー印刷、スプレー印刷、或いは転写印刷等の各種の印刷技術とされる）、高分子インクの適当なパターンを繊維基材布に固着させ、さらに繊維基材布を高分子樹脂に含浸させ（本発明のフローによると、或いは図２に示されるように、繊維基材布を先に高分子樹脂に含浸させた後に乾燥させてから高分子インクで基材布に印刷する）、これにより繊維基材本体に一層の高分子樹脂を付着させ、さらに適当に乾燥させ（乾燥温度は４０℃〜１２０℃、時間は約５分から６０分間）或いは約１時間或いは数日自然乾燥させ、高分子樹脂を有効に繊維基材布に付着させ、並びに高分子樹脂を有効に高分子インクと結合させ、カラーパターンの鮮明度を保持する。さらに、高温の型を用いて基材布を所定のコーン紙形状に加工し、（型温度は１２０℃〜２００℃、時間は１分から１５分間）、並びにコーン紙の表面にワニス塗装し、適当に乾燥させ（乾燥温度は４０℃〜８０℃、時間は約１０分から６０分間）、乾燥方式はＵＶ乾燥或いは自然乾燥方式とし、さらにトリミングして製品を得る。繊維布で形成したコーン紙表面にはこうして極めて良好な模様Ａが形成され（図３参照）、コーン紙の美観と質感が高められている。上述の工程完成後、さらに一層の塗料を塗布し（或いは塗布せず）、並びに４０℃〜８０℃で１０分から６０分間乾燥させ、その表面の光沢を増す。
【０００６】
【発明の効果】
本発明によると、繊維類の材料をコーン紙の基材となし、繊維基材布の表面に高分子インクで適当なパターンを固着し、さらに基材布を高分子樹脂に含浸させるか、或いは繊維基材布を先に高分子樹脂に含浸させた後に乾燥させて更に高分子インクで基材布に模様付けし、基材本体に一層の高分子樹脂を付着させ、鮮明なカラーパターンを形成し、乾燥後にさらに高温の型を用いて基材布を所定のコーン紙形状に加工し、並びにコーン紙表面にワニス塗装し、さらにトリミングして製品を得る。これにより繊維布で形成したコーン紙表面に良好な模様を形成し、コーン紙の美観と質感を高める。
【図面の簡単な説明】
【図１】本発明のフローチャートである。
【図２】本発明の別の実施例のフローチャートである。
【図３】本発明の製品表示図である。
【符号の説明】
Ａ　模様
【図１】
2004129044.tif 000003
【図２】
2004129044.tif 000004
【図３】
2004129044.tif 000005
(57)【要約】【課題】特に二つ折りにした紙・布等の切断をするときに、折り目からはみ出さず、折り目にそって素早くきれいに切断でき、かつ取り扱いの安全なナイフを提供する。【解決手段】ナイフ刃２と折り目が鈍角ａに接っするように取付けられた折り目用ガイド１を備えたことにより、折り目を切る場合、折った紙・布等の中に折り目用ガイド１を先に入れ折り目に押し当てながら刃を押し進めることにより折り目にそって、素早くきれいに切断でき、かつ安全に取り扱う事が出来る。【選択図】　　　　図１
2004129910.tif 000002
【特許請求の範囲】
【請求項１】
特に二つ折りにした紙・布等の切断をするときに、ナイフ刃と折り目が鈍角に接っするように取付けられた折り目用ガイドを備えたことを特徴とし、折った紙・布等の中に折り目用ガイドを先に入れ折り目に押し当てながら刃を押し進めることによりナイフ刃は折り目からはみ出さず、折り目にそって素早くきれいに切断でき、かつ安全に取り扱いのできるガイド付ナイフ。
【発明の詳細な説明】
【０００１】
【発明が属する技術分野】
本発明は、二つ折りにした紙・布等の折り目を、折り目からはみ出さず、折り目にそって素早くきれいに切断でき、かつ取り扱いの安全なガイド付ナイフに関するものである。
【０００２】
【従来の技術】
従来のカッター・はさみの類は二つ折りにした紙・布等の切断をするときに、刃が鋭利な為、折り目からはみ出し易く、折り目にそって慎重に切断するには時間がかかり、又取り扱いに危険もあり実用上不十分であった。
【０００３】
又、ペーパーナイフの類は刃が鋭利でない為、折り目の切断面が汚く、少しでもきれいに切断しようとすれば時間がかかるいう欠点があった。
【０００４】
【発明が解決しようとする課題】
解決しようとする課題は従来のカッター・はさみ・ペーパーナイフの類では、折り目からはみ出し、折り目にそって素早くきれいに切断できず、又取り扱いの危険がある点である。
【０００５】
【課題を解決するための手段】
本発明は、特に二つ折りにした紙・布等の切断をするときに、折った紙・布等の中に入りナイフ刃と折り目が鈍角に接っするように取付けられた折り目用ガイドを備えたことを最も主要な特徴とする。
【０００６】
【発明の実施の形態】
特に二つ折りにした紙・布等の切断をするときに、ナイフ刃２と折り目が鈍角ａに接っするように取付けられた折り目用ガイド１を備えたことを特徴とし、折った紙・布等の中に折り目用ガイド１を先に入れ折り目に押し当てながら刃を押し進めることにより、ナイフ刃２は折り目からはみ出さず、折り目にそって素早くきれいに切断できる。折り目用ガイド１を折り目に押し当てるとき、紙・布等を傷つけないように折り目用ガイド１の折り目に接する部分は丸みをつけておく。又、ナイフ全体がくの形でありナイフ刃２は曲部の内側一部にしかないので、ナイフ柄３を持ち切断することにより手・指等を傷つける危険がなく周囲にも安全な取り扱いのできるものである。
【０００７】
【実施例】
図２は、カッター刃４を装着させたガイド付ナイフの実施例であり、金属・プラスチック・木等でつくられた折り目用ガイド１・ナイフ柄３の中に鋭利なカッター刃４を組み込んでいる。ナイフ刃２の磨耗に対応する為、交換可能なカッター刃４を装着させることにより、持続的な使用を実現するものである。
【０００８】
図３は、ナイフをコンパクトに折りたためるように、収納式の折り目用ガイド６をリベット５で装着させたガイド付ナイフの実施例である。折りたたんだときに、鋭利なカッター刃４を折り目用ガイド６でカバーするので、カッター刃４は露出せず安全であり、携帯や収納に適するものである。
【０００９】
【発明の効果】
以上説明したように本発明のガイド付ナイフは紙・布等を二つ折りにして、その折り目を切る場合折り目にそって、素早くきれいに切断でき、かつ安全に取り扱う事が出来る。
【図面の簡単な説明】
【図１】ガイド付ナイフを示した説明図である。
【図２】カッター刃を装着させたガイド付ナイフを示した姿図である。（実施例１）
【図３】収納式の折り目用ガイドを装着させたガイド付ナイフを示した姿図である。（実施例２）
【符号の説明】
１　　折り目用ガイド
２　　ナイフ刃
３　　ナイフ柄
４　　カッター刃
５　　リベット
６　　収納式の折り目用ガイド
ａ　　ナイフ刃と折り目の角度
【図１】
2004129910.tif 000003
【図２】
2004129910.tif 000004
【図３】
2004129910.tif 000005
(57)【要約】【課題】コンパクトに箱詰めできるダンベル置台を提供する。【解決手段】板状体１の上面両側部に組立状態のダンベルを保持する一対の係入溝２を形成すると共に、板状体１の下面中央部に一対の係入溝２の間に挟まれた収納凹所３を形成して、シャフト４からプレート５，６を取り外してダンベルを解体したとき、そのプレート６を収納凹所３に嵌め入れて、箱８に詰められるようにする。【選択図】　図４
2004129997.tif 000002
【特許請求の範囲】
【請求項１】
板状体１の上面両側部に一対の係入溝２を形成して、シャフト４の両側にプレート５，６を取り付けた組立状態のダンベルを、係入溝２にプレート５の下部を挿入して係合させることにより保持できるようにすると共に、板状体１の下面中央部に、前記一対の係入溝２の間に挟まれた収納凹所３を形成して、シャフト４からプレート５，６を取り外してダンベルを解体したとき、そのプレート６を収納凹所３に嵌め入れられるようにしたダンベル置台。
【発明の詳細な説明】
【０００１】
【発明の属する技術分野】
この発明は、ダンベルと共に箱詰めされてセット販売されるダンベル置台に関するものである。
【０００２】
【従来の技術】
一般に、腕の筋力トレーニングに使用されるダンベルとして、図６に示すように、シャフト４の両側に円盤状のプレート５，６をナット７で取り付けたものが使用されている。このようなダンベルは、家庭用として、図５に示すように、箱８に詰められてセット販売されている。
【０００３】
【発明が解決しようとする課題】
ところで、ダンベルを組立状態で安定させて置こうとすると、プレートの下部を係合させる溝を備えた置台が必要となるが、上記のようなセットでは、箱のコンパクト化の要請から、置台が付属しておらず、ダンベルを使用する際、不便を感じることがある。
【０００４】
そこで、この発明は、コンパクトに箱詰めできるダンベル置台を提供することを課題とする。
【０００５】
【課題を解決するための手段】
上記課題を解決するため、この発明に係るダンベル置台は、板状体の上面両側部に組立状態のダンベルを保持する一対の係入溝を形成すると共に、板状体の下面中央部に一対の係入溝の間に挟まれた収納凹所を形成して、シャフトからプレートを取り外してダンベルを解体したとき、そのプレートを収納凹所に嵌め入れて箱詰めできるようにしたのである。
【０００６】
【発明の実施の形態】
以下、この発明の実施の形態を添付図面に基づいて説明する。
【０００７】
図１及び図２に示すように、このダンベル置台Ｓは、軟質プラスチックを素材とする板状体１の上面両側部に、底面が弧状となった一対の係入溝２を形成し、板状体１の下面中央部に、一対の係入溝２の間に挟まれた円形の収納凹所３を形成したものとされている。
【０００８】
このようなダンベル置台Ｓを使用して、図３に示すように、シャフト４の両側にプレート５，６をナット７で取り付けた組立状態のダンベルを保持するには、一対の係入溝２に大径のプレート５の下部を挿入して係合させる。このようにダンベルを置くと、ダンベルが不意に転がることがない。
【０００９】
また、ダンベルのセット販売に際しては、図４に示すように、箱８の底に２枚のプレート５及び２個のナット７を置き、一方のプレート５の上に重ねた小径のプレート６をダンベル置台Ｓの収納凹所３に嵌め入れ、他方のプレート５にパッド９を介してプレート６を重ね、後方の隙間にシャフト４を挿入する。
【００１０】
このようにダンベル及びその置台Ｓを箱８に詰め合わせると、箱８の内部のスペースを有効に利用できるので、箱８としてコンパクトなものを使用することができ、持ち運びやすく、保管時にも嵩張らない商品とすることができる。
【００１１】
また、ダンベル置台Ｓが緩衝性を有し、パッドを兼用するので、包装に必要なパッドが減り、開封後のごみの量を減らすことができる。
【００１２】
【発明の効果】
以上のように、この発明に係るダンベル置台は、板状体の上面両側部に組立状態のダンベルを保持する一対の係入溝を形成すると共に、板状体の下面中央部に一対の係入溝の間に挟まれた収納凹所を形成して、シャフトからプレートを取り外してダンベルを解体したとき、そのプレートを収納凹所に嵌め入れられるようにしたので、セット販売時にコンパクトに箱詰めでき、また、置台がパッドを兼用するので、開封後のごみの量を減らすことができる。
【図面の簡単な説明】
【図１】この発明に係るダンベル置台の斜視図
【図２】同上の縦断正面図
【図３】同上の使用状態を示す斜視図
【図４】同上の箱詰状態を示す斜視図
【図５】従来のダンベルの箱詰状態を示す斜視図
【図６】ダンベルの組立状態を示す斜視図
【符号の説明】
Ｓ　ダンベル置台
１　板状体
２　係入溝
３　収納凹所
４　シャフト
５，６　プレート
７　ナット
８　箱
９　パッド
【図１】
2004129997.tif 000003
【図２】
2004129997.tif 000004
【図３】
2004129997.tif 000005
【図４】
2004129997.tif 000006
【図５】
2004129997.tif 000007
【図６】
2004129997.tif 000008
(57)【要約】【目的】本発明は、顧客サービスとして重要なコールセンターを低コストで開設・運営するためのシステムである。【構成】専用の、ＶＯＩＰ転送ゲートウェーイを利用して、受信地域からコールセンター運営本部まで距離に関係なくＶＯＩＰで転送する。その為に、受信地域から運営本部までの通信は、距離に関係なく固定費ですむ為に運営費が節減できる。【選択図】　　図５
2004129184.tif 000002
【特許請求の範囲】
【請求項１】
一般電話回線網を使用し、受信した通話を専用システムを利用して、自動的にＶＯＩＰ回線に転換し転送するシステム。
【発明の詳細な説明】
【０００１】
【産業上の利用分野】
この発明は、主に通信費受信者負担で運営される顧客サービスなどに利用される。
【０００２】
【従来の技術】
【０００３】
従来、電話による顧客サービス（以下コールセンター）は、通話料を運営者である受信者が負担していた為に運営コストが膨大にかかっていた。説明図【図　１】【図　２】。
【０００４】
従来、通信費負担を軽減させる為に、要所要所に支店、もしくは拠点を設置し
市外通話料金を軽減させる方法があった。説明図【図　３】
【０００５】
しかし、支店もしくは拠点を設置すると負担通話料金は軽減できるが、家賃や人件費などの固定費の負担が必要になった。
【０００６】
【考案が解決しようとする課題点】
この発明が解決しようとする課題は、各顧客から発信された通話を、各地域に設置した専用転送システムによりＶＯＩＰに変換し、本店もしくはコールセンターに転送する。専用転送システムは小型で自動運転するために、レンタルオフィスなどに設置することが可能であるために、低コストで多地域設置が可能である。その為に、市外通話料が大きく削減される。結果、負担通信費が軽減される。
説明図【図　４】【図　５】
【０００７】
【課題を解決するための手段】
本発明のＶＯＩＰ転送システムは
【図　５】で説明されるように、専用ＶＯＩＰ転送ゲートウェーイで、顧客からの発信を自動受信し、ゲートウェーイ内で自動的にＶＯＩＰに転換しコールセンターへ転送する。
【０００８】
転送する際には、音声のみでは無く発信者からの発信者番号もデーター転換し、音声と一緒に転送される。
【０００９】
コールセンターでは、発信者番号によりユーザー管理を行っているケースがほとんどのために、発信者番号も自動転送されるので、顧客管理情報は従来道理使用できる。
【００１０】
ゲートウェーイ本体の大きさはディスクトップパソコン本体程度のために、レンタルオフィス等に設置する事が出来る。
【００１１】
【００１０】の様に受信拠点設置・運営費費が軽減できるために、低コストで他地域に設置することが可能にになる。
【００１２】
受信拠点を他地域に設置することにより、負担する市外通話費が大幅に軽減される。受信拠点から、コールセンターまではＶＯＩＰ通信であるから、通信費は固定費用のみである。
【００１３】
【作用】
本案は、以上のような構成であるから、コールセンター運営費の市街通話にかかる聴許率和料を大幅に軽減することが出来る。
【００１４】
また、人件費をコールセンター本部に集中出来るために、低コストでの２４時間運用が可能であったり、本社内に集約できるためにユーザーに密着したサービスが可能である。
【００１５】
【実施例】
以下、実施例について説明する。
【００１６】
コールセンターを運営しようとする事業者は、専用転送ゲートウェーイを各地域のレンタルオフィスなどに設置し、一般固定電話回線を接続する。
【００１７】
事業者は転送ゲートウェーイの転送先をコールセンター運営本部等に設定する。
【００１８】
その事により、ユーザーから発信された通話は、最短距離の転送拠点で受信し、ＶＯＩＰにより、コールセンターまではＶＯＩＰ通信により転送される。
【００１９】
転送の際、転送ゲートウェーイは音声と同時にユーザーから発信された発信者番号などのデーターも同時に転送する。
【００２０】
コールセンター運営本部ではＶＯＩＰで転送されたユーザー通話により顧客サービスに答える。
【００２１】
その際に、ユーザーからの発信者番号も自動受信するために、顧客データーを参照して、顧客サービスを行うことが可能である。
【００２２】
このシステムにより、コールセンター運営事業者が従来負担していた長距離通話料金は大幅に削減される。
【発明の効果】
現在、ユーザーサポートや受注等にフリーダイアルを利用したコールセンターは顧客サービスとして重要であるが、その運営費は通信料負担が大きく、経営を圧迫していた。しかし、この転送サービスは、低コストで受信拠点を他地域に設置し、受信拠点から運営本部までの通信をＶＯＩＰ通信で行うことにより、大幅な通信費の負担軽減が期待できる。
【図面の簡単な説明】
【図　１】従来のコールセンターのシステムを説明する図面である。
【図　２】従来のコールセンターシステムの通信費負担を説明する図面である。
【図　３】従来のコールセンターシステムで、受信拠点を設置した場合を説明する図面である。
【図　４】本発明を利用した転送システムを説明する図面である。
【図　５】本発明のシステムを説明する図面である。
【図１】
2004129184.tif 000003
【図２】
2004129184.tif 000004
【図３】
2004129184.tif 000005
【図４】
2004129184.tif 000006
【図５】
2004129184.tif 000007
(57)【要約】【課　題】指で適量掬い取って毛先側を持った一束の髪の毛の根元側に開いた鋏を刃の根元まで入れ、そのまゝ斜め下向きに滑らせながら鋏を閉じて行うスライドカットにおいて、髪の毛が根元から切れたり、切るときに引掛かりを生じて髪の毛が引張られたり、引張って切断されることにより枝毛を生ずることもない理・美容用鋏を提供する。【解決手段】開閉操作される一対の鋏体３、６のうち、一方の鋏体の刃先と、他方の鋏体の根元側の刃先の刃先角度θを８５〜９０°に形成すると共に、その表面にダイヤモンド状カーボンＤＬＣによるコーティング層を設けて滑り易くし、他方の鋏体の先端側の刃先の刃先角度を３５〜４５°に形成して切れ味を良好に維持させる。【選択図】　図２
2004129822.tif 000002
【特許請求の範囲】
【請求項１】
一側に刃を有し、他側に指環を備えた第１の鋏体と第２の鋏体を中間部でヒンジにより連結して回動可能となし、第１及び第２の鋏体を開閉操作することにより刃を擦れ合わせて髪の毛の切断を行う理・美容用鋏において、第１の鋏体の刃の根元側の刃先及び第２の鋏体の刃の刃先に丸みを持たせるか、刃先を鈍刃にして滑り易くし、切れにくゝしたことを特徴とする理・美容用鋏。
【請求項２】
丸みを持たせるか、鈍刃にした刃先部分の摩擦係数を小さく形成したことを特徴とする請求項１記載の理・美容用鋏。
【発明の詳細な説明】
【０００１】
【発明が属する技術分野】
本発明は、理容院や美容院において、指で掬い取った髪の毛をスライドカットするのに用いられる理・美容用鋏に関する。
【０００２】
【従来技術】
スライドカットは通常、髪の毛を指で適量ずつ掬い取っては髪の根元から鋏を入れ、毛先の方向に鋏を滑らせて髪の毛を削ぎながら鋏を閉じて切断することにより行われるが、掬い取った髪の毛の毛先側から根元に向かって鋏を滑らせて行われることもある。
【０００３】
【発明が解決しようとする課題】
頭髪の根元側から鋏を入れてスライドカットするときには、髪の毛が根元から切れたり、また切るときに引掛かりを生じて髪の毛が引張られたり、枝毛になることがある。こうしたことが生じないようにするには、高度な技能と熟練を要する。
【０００４】
本発明は、高度な技能や熟練を要さなくても上記のような問題を生ずることなくスライドカットすることができる理・美容用鋏を提供することを目的とする。
【０００５】
【課題の解決手段】
請求項１に関わる発明は、一側に刃を有し、他側に指環を備えた第１の鋏体と第２の鋏体を中間部でヒンジにより連結して回動可能となし、第１及び第２の鋏体を開閉操作することにより刃を擦れ合わせて髪の毛の切断を行う理・美容用鋏において、第１の鋏体の刃の根元側の刃先及び第２の鋏体の刃の刃先に丸みを持たせるか、刃先を鈍刃にして滑り易くし、切れにくゝしたことを特徴とする。
【０００６】
本発明によると、スライドカットするとき指で掬い取った一束の髪の毛に鋏を刃の根元側まで入れ、そのまゝ鋏を斜め下向きに滑らせると、刃の根元側が髪の毛に当たっている間は切れることがなく、刃の先端側が髪の毛に当たると、毛が削がれ、鋏の閉じ操作により切断される。
【０００７】
本発明において、刃先に丸みを持たせるとは、刃先の曲率半径Ｒが１０μｍ以上のものをいゝ、また鈍刃とは、刃先角度が８０〜９０°、好ましくは８５〜９０°のものをいう。因みに従来の理・美容用鋏の刃先の曲率半径Ｒは、１．５〜３μｍ程度であり、刃先角度は３５〜４５°程度である。
【０００８】
請求項２に関わる発明は、請求項１に関わる発明において、丸みを持たせるか、鈍刃にした刃先部分の摩擦係数を小さく形成したことを特徴とする。
本発明によると、スライドカットするとき鋏の刃が髪の毛に引掛かることなくより一層滑り易くなる。
【０００９】
刃先部分の摩擦係数を小さくするには、例えばＪＩＳ　Ｂ　０６０１で規定する表面粗さが１．５Ｓ、すなわち１．５μｍ以下の鏡面に仕上げるか、又はダイヤモンド状カーボンＤＬＣ、窒化チタンＴｉＮ、テフロン（登録商標）等による表面加工をするとよい。
【００１０】
【発明の実施の形態】
図１は、一側に刃１を、他端に指環２を備えた第１の鋏体３と、同じく一側に刃４を、他側に指環５を備えた第２の鋏体６を中間部でヒンジ７により刃先が向き合うようにして連結し、回動可能となした理・美容用鋏Ａを示すもので、鋏体３、６のうち、いずれか一方の鋏体３又は６の刃先と、他方の鋏体６又は３の根元側の刃先の図２に示す刃先角度θを８５〜９０°に形成すると共に、その表面にダイヤモンド状カーボンＤＬＣによるコーティング層を設けて滑り易く、かつ切れにくゝし、他方の鋏体６又は３の先端側の刃先の図３に示す刃先角度γを３５〜４５°の鋭角にして切れ味を良好に維持させたものである。
【００１１】
スライドカットするときには、図４に示すように、指で適量掬い取って毛先側を持った一束の髪の毛９の根元側に開いた鋏Ａを刃１、４の根元まで入れ、そのまゝ斜め下向きに滑らせながら鋏を閉じる。滑り易く、切れにくゝした部分では、刃先は髪の毛９を引張ることなくスムースに滑り、切れ味のよい部分では髪の毛を削ぎ、鋏を閉じると共に切断される。
【００１２】
図４に示すものは、毛先側を持った髪の毛９を根元から毛先に向かってスライドカットする例を示すものであるが、毛先側から根元に向かって同様にスライドカットすることもできる。
【００１３】
【発明の効果】
請求項１に関わる発明によると、スライドカットするとき、当初髪の毛は鋏の切れない刃先部分に当たるため、そのまゝ滑らせてもスムースに滑り、髪の毛に引掛かって引張られたり、切断されることがなく、枝毛を生じることもない。髪の毛が切れ味のよい刃先部分に当たるようになると、毛が削がれるようになるが、このとき鋏の閉じ作用により切断されるようなことがあってもさして支障はなく、したがって高度な技能や熟練を要さない人でもスライドカットを容易に行うことができる。
請求項２に関わる発明によると、髪の毛が引掛かることなく、より一層滑り易くなる。
【図面の簡単な説明】
【図１】理・美容用鋏の平面図。
【図２】刃先の切れない部分の拡大図。
【図３】切れ味のよい刃先の拡大図。
【図４】スライドカットするときの態様を示す図。
【符号の説明】
１、４・・刃
２、５・・指環
３、６・・鋏体
７・・ヒンジ
９・・髪の毛
【図１】
2004129822.tif 000003
【図２】
2004129822.tif 000004
【図３】
2004129822.tif 000005
【図４】
2004129822.tif 000006
(57)【要約】【課題】ネクタイを結ぶのは時間がかかる為、一度締めてしまうと暑い時、また締め付けられて苦しい感じがしても、気軽に外せない。また、既存のタイクリップなどの簡単着脱用商品は、ネクタイ本体に加工を加えるものが多く、デザインに制限があり、また、すでに持っているネクタイや、気に入ったデザインを選ぶことができない。【解決手段】首にかけるストラップ本体部３に、首の太さに応じて長さの調節ができる長さ調節部２を設け、また本体の両端に、ネクタイ接続部４ｄを掛ける掛止金具１を設け、独自の結び方でネクタイを結ぶことで掛止金具１部分からネクタイを外すことで着脱を可能にしこの課題を解決する。【選択図】図５
2004129856.tif 000002
【特許請求の範囲】
【請求項１】
首にかけるストラップ本体部３に、首の太さに応じて長さの調節ができる長さ調節部２を設け、また本体の両端に、ネクタイ接続部４ｄを掛ける掛止金具１を設けてあることを特徴とするタイ・ストラップ。
【請求項２】
本体の両端のネクタイ接続部４ｄを掛ける掛止金具１は、Ｕ字型又はクリップ型、あるいはこれらの混合型であることを特徴とする請求項１記載のタイ・ストラップ。
【請求項３】
本体の両端のネクタイ接続部４ｄを掛ける掛止金具１には、滑り止めが付いていることを特徴とする請求項１及び請求項２に記載のタイ・ストラップ。
【発明の詳細な説明】
【０００１】
【発明の属する技術分野】
この発明は、ネクタイを簡易に結びつけることのできるタイ・ストラップに関し、さらに詳しくは、ストラップ本体の両端部に設けられた掛止金具にネクタイを挟んで所定の結びをした後に、その形状のまま脱着可能な新規なタイ・ストラップを提供するものである。
【０００２】
【従来の技術】
従来はネクタイの着脱を簡単にするためには、ネクタイ本体にクリップをつけたり、ネクタイを切断しそこに着脱を可能にする付属装置をつけるなど、ネクタイ本体を加工していた。
【０００３】
【発明が解決しようとする課題】
しかしながら、以上の従来技術によれば、付属装置の付いた専用のネクタイを使うか、もしくは所有しているネクタイを切断するなど加工しなければならず、デザインの種類が限られ、既製のネクタイまた、すでに所有しているネクタイをそのままの形で活用することができない。
【０００４】
【課題を解決するための手段】
本発明者は、係る課題を解決するために鋭意研究したところ、伸縮自在な長さ調整部を有するストラップ本体の両端に設けた掛止金具を利用してネクタイを挟むと、容易にネクタイ結びができ、さらにその形状で脱着が容易にできることを見いだし、本発明のタイ・ストラップを提供することができた。
【０００５】
すなわち本発明の第一は、首にかけるストラップ本体部３に、首の太さに応じて長さの調節ができる長さ調節部２を設け、また本体の両端に、ネクタイ接続部４ｄを掛ける掛止金具１を設けてあることを特徴とするタイ・ストラップである。
【０００６】
本発明の第二は、本体の両端のネクタイ接続部４ｄを掛ける掛止金具１は、Ｕ字型又はクリップ型、あるいはこれらの混合型であることを特徴とする請求項１記載のタイ・ストラップである。
【０００７】
本発明の第三は、本体の両端のネクタイ接続部４ｄを掛ける掛止金具１には、滑り止めが付いていることを特徴とする請求項１及び請求項２に記載のタイ・ストラップである。
【０００８】
【発明の実施の形態】
発明の実施の形態を、実施例にもとづき図面を参照して説明する。図１に本発明に係るタイ・ストラップの平面図を示す。長さ調節部２で適当な長さに調節し、ストラップ本体３を首にかける。
【０００９】
図２に示すように掛止金具１に、ネクタイ接続部４ｄをかける。ネクタイの大剣部４ａとネクタイの小剣部を交差させ、通常通りネクタイを結ぶ。図３〜図４に示すように通常通りネクタイを結び、図５に示すように、ネクタイの大剣部４ａをネクタイ中央部４ｃの上を通す。
【００１０】
次いで図６に示すように、ネクタイを結ぶと、図７に示すようにネクタイがきれいに結ばれ、さらに図８に示すように、装着するだけでよい。
【００１１】
この実施形態によれば、ネクタイ本体に特別な加工を施すことなく着脱が簡単にし、ストラップの部分で長さの調節ができるため、首の太さにかかわらず、ネクタイを理想的な形にする装着でき、またネクタイを結ぶ時間を省略することが可能となる。
【００１２】
【他の実施形態】
図１〜図３に示すストラップ本体の素材は布、ゴムやその他の素材であってもよい。また、金具部分１もＵ字型、クリップ型などネクタイを掛けることができればどのような形状でもよい。
【００１３】
【発明の効果】
上記のように、この発明によれば、ネクタイ本体に特別な加工を施すことなく着脱が簡単になり、また長さ調節部２で首の長さに調節し、首の太さにかかわらず、ネクタイの結ぶ長さを一定にできるため、理想的な形にすることができる。
【００１４】
同様に長さ調節部２で長さの調節が可能なので、今まで、首の太さや上半身の大きさなどで、ネクタイの出来上がりに個人差が出ていたが、ストラップ部分で長さの調節ができることで、ネクタイの結べる長さを一定にし、完成を理想的な長さにすることができる。
【００１５】
さらに、一度結んだ形は結びを解くことなくネクタイを外すことができるので、次に装着するときに、そのまま簡単に装着することができ、首の太さや上半身の大きさにかかわらずネクタイの結ぶ長さを一定にし、さらにネクタイを結ぶ時間を省略する。
【図面の簡単な説明】
【図１】タイストラップ本体の正面図である。
【図２】タイストラップ本体とネクタイの結び方を示す説明図である。
【図３】タイストラップ本体とネクタイの結び方を示す説明図である。
【図４】タイストラップ本体とネクタイの結び方を示す説明図である。
【図５】タイストラップ本体とネクタイの結び方を示す説明図である。
【図６】タイストラップ本体とネクタイの結び方を示す説明図である。
【図７】ネクタイの完成を示す説明図である。
【図８】タイストラップを装着を示す説明図である。
【符号の説明】
１・・・掛止金具
２・・・長さ調節部
３・・・ストラップ本体
４ａ・・ネクタイ−大剣部
４ｂ・・ネクタイ−小剣部
４ｃ・・ネクタイ−中央部
４ｄ・・ネクタイとストラップ接続部
【図１】
2004129856.tif 000003
【図２】
2004129856.tif 000004
【図３】
2004129856.tif 000005
【図４】
2004129856.tif 000006
【図５】
2004129856.tif 000007
【図６】
2004129856.tif 000008
【図７】
2004129856.tif 000009
【図８】
2004129856.tif 000010
(57)【要約】【課題】高齢者や幼児が入浴する際、浴槽内への出入りが困難な場合が多く浴槽内への転落あるいは、バランスを崩して転倒する危険が多く存在する。このような課題を解決して安全かつスムーズに入浴できる浴槽を提供する。【解決手段】以上のような課題を解決するために、浴槽内に階段を設けることにより、高齢者や幼児が入浴する際に安全かつスムーズに入浴することが可能になる。更に、この階段を折り畳むことで浴槽内を広く使用できるようになり、ゆったりと落ち着いて入浴することができる。【選択図】　図１
2004129837.tif 000002
【特許請求の範囲】
【請求項１】
浴槽において、浴槽内に階段を設け、この階段が折り畳めることを特徴とした浴槽構造。
【発明の詳細な説明】
【０００１】
【発明の属する技術分野】
本発明は、高齢者や幼児に適する浴槽構造に関するもの。
【０００２】
【従来の技術】
通常の浴槽は、深いもので数十センチを超えるものがある。これは、高齢者や幼児が入浴する場合、浴槽内への出入りが困難な場合が多くバランスを崩して転んだり、浴槽内へ転落したりする危険が存在する。また浴槽内に昇降台を設けたものあるいは、その昇降台が取り外せるものがあるが、ゆったりと入浴するには昇降台部分が浴槽のスペースを狭くしている。また昇降台を取り外すものにおいては、浴槽内に入浴中、自ら取り外すことは高齢者や幼児にとっては、非常に困難を伴うものである。
【０００３】
【発明が解決しょうとする課題】
本発明は、上記の問題を解決する為のもので、高齢者や幼児が入浴の際、安全かつスムーズに入浴ができ、更にゆったりと入浴できる浴槽を提供するものである。
【０００４】
【課題が解決しようとする手段】
本発明は、以上の課題を解決するために浴槽内に階段を設け、この階段を折り畳むことによって、浴槽内を広く使用できるようにする。
【０００５】
【発明の実施の形態】
本発明は、以上に述べたように浴槽内に階段を設け、これにより入浴者は容易に浴槽内を出入りすることができる。また浴槽内の階段を折り畳むことにより浴槽内を広く使用でき、ゆったりと落ち着いて入浴できる。
【０００６】
【実施例】
図１は、浴槽内の階段部分の１実施例で、浴槽１内に設けられた階段は、パイプＡ２、パイプＢ３、固定板４、ガイド５、コロ６、マグネット７、ストッパー８及び天板９により構成されており、コロ６を中心に開く天板９を上方に開き、かつ浴槽の垂直上方向に移動させることにより、パイプＡ２及びパイプＢ３が浴槽壁面方向に移動し、パイプＡ２、パイプＢ３が折り畳まれる。この折り畳まれた距離が最小になる所で天板９をマグネット７に吸着させる。これにより階段部分が、最大まで折り畳まれたことになり浴槽内を広く使用することができる。図２は、この階段部分が、最大まで折り畳まれた状態を示す。
【０００７】
【発明の効果】
本発明は、以上のような形態で実施されるため、高齢者や幼児が入浴する場合浴槽への出入りが容易となり、転倒、転落の危険が減ることになる。これにより安全かつスムーズな入浴が可能となる。更に浴槽内が広く使用でき、ゆったりと落ち着いて入浴することができる。
【０００８】
【図面の簡単な説明】
【図１】浴槽内の階段部分の１実施例
【図２】浴槽内の階段部分が折り畳まれた状態図
【符号の説明】
１　浴槽
２　パイプＡ
３　パイプＢ
４　固定板
５　ガイド
６　コロ
７　マグネット
８　ストッパー
９　天板
１０　トッテ
【図１】
2004129837.tif 000003
【図２】
2004129837.tif 000004